(57)【特許請求の範囲】
【請求項１】
マイクロ波アンテナアセンブリであって、
内側導体と、外側導体と、それらの間に配置された内側絶縁体とを含む給電路と、
該給電路に接続されたダイポールアンテナと、遠位端において該ダイポールアンテナに接続されたトロカールとを含む放射部分と、
該放射部分と該給電路との周りに配置された摺動可能外側ジャケットであって、該摺動可能外側ジャケットは、該摺動可能外側ジャケットが該トロカールと嵌合する閉じた構成から、該摺動可能ジャケットが近位方向に引き込まれて、該放射部分の少なくとも一部分を露出させる引き込まれた構成まで、該放射部分と該給電路とのうちの少なくとも一方の周りで摺動するように構成されている、摺動可能外側ジャケットと、
該給電路の周りに配置され、かつ、該外側導体と電気接触している接触アセンブリであって、該接触アセンブリは、該外側導体と該摺動可能外側ジャケットとの間に連続的な電気接触を提供するように適合されている、接触アセンブリと
を備えている、マイクロ波アンテナアセンブリ。
【請求項２】
前記接触アセンブリは、
少なくとも２つの止め部材を有する管状筐体であって、該少なくとも２つの止め部材のそれぞれが、該管状筺体の近位端と遠位端とにそれぞれ配置されている、管状筐体と、
該少なくとも２つの止め部材の間で該管状筺体の周りに配置されたバネ部材であって、該バネ部材は、前記摺動可能外側ジャケットを付勢するように適合されている、バネ部材と
をさらに備えている、請求項１に記載のマイクロ波アンテナアセンブリ。
【請求項３】
前記管状筐体と前記バネ部材とは、導電性材料から形成されている、請求項２に記載のマイクロ波アンテナアセンブリ。
【請求項４】
前記バネ部材は、少なくとも１つの金属化合物を有する導電性コーティングによってコーティングされている、請求項３に記載のマイクロ波アンテナアセンブリ。
【請求項５】
前記摺動可能外側ジャケットは、導電性金属から形成されている、請求項１に記載のマイクロ波アンテナアセンブリ。
【請求項６】
前記摺動可能外側ジャケットは、その遠位端に先細縁を含み、そして、前記トロカールは、該摺動可能外側ジャケットが前記閉じた構成のときに該先細縁と嵌合するように適合された先細先端を含む、請求項１に記載のマイクロ波アンテナアセンブリ。
【請求項７】
マイクロ波アンテナアセンブリであって、
内側導体と、外側導体と、それらの間に配置された内側絶縁体とを含む給電路と、
該給電路に接続されたダイポールアンテナと、遠位端において該ダイポールアンテナに接続されたトロカールとを含む放射部分と、
該外側導体の周りに配置された内側流体供給部材であって、該内側流体供給部材は、該外側導体と電気機械接触し、該内側流体供給部材は、その中に画定された複数の流体管腔を有し、該複数の流体管腔は、該放射部分に流体を供給するように構成されている、内側流体供給部材と、
該内側流体供給部材の周りに配置された外側流体供給部材であって、該外側流体部材は、該内側流体供給部材と電気機械接触し、該外側流体供給部材は、その中に画定された複数の流体管腔を有し、該複数の流体管腔は、該放射部分から該流体を引き込むように構成されている、外側流体供給部材と、
該放射部分と該外側流体供給部材との周りに配置された摺動可能外側ジャケットであって、該摺動可能外側ジャケットは、該摺動可能外側ジャケットが該トロカールと嵌合する閉じた構成から、該摺動可能ジャケットが近位方向に引き込まれ、該放射部分の少なくとも一部分を露出させる引き込まれた構成まで、該放射部分と該外側流体供給部材とのうちの少なくとも一方の周りで摺動するように適合されている、摺動可能外側ジャケットと、
該外側流体供給部材の周りに配置され、かつ、該外側導体と電気接触している接触アセンブリであって、該接触アセンブリは、該外側導体と該摺動可能外側ジャケットとの間に連続的な電気接触を提供するように適合されている、接触アセンブリと
を備えている、マイクロ波アンテナアセンブリ。
【請求項８】
前記内側流体供給部材と前記外側流体供給部材とは、導電性金属から形成されている、請求項７に記載のマイクロ波アンテナアセンブリ。
【請求項９】
前記内側流体供給部材と前記外側流体供給部材とのそれぞれが、それらのそれぞれの遠位端に画定された複数の開口部を含み、該複数の開口部は、前記対応する複数の流体管腔と流体連通して配置されている、請求項７に記載のマイクロ波アンテナアセンブリ。
【請求項１０】
前記内側流体供給部材に接続され、かつ、第１の流体管腔を画定している内側冷却ジャケットと、
前記外側流体供給部材に接続され、かつ、第２の流体管腔を画定している外側冷却ジャケットと
をさらに備え、
該第１の流体管腔と該第２の流体管腔とは、それらの遠位端において流体連通して配置されている、請求項７に記載のマイクロ波アンテナアセンブリ。
【請求項１１】
前記トロカールは、前記内側冷却ジャケットに接続された管状部分を含み、該管状部分は、前記第１の管腔と前記第２の管腔との間に流体連通を提供する少なくとも１つの開口部を有する、請求項１０に記載のマイクロ波アンテナアセンブリ。
【発明の詳細な説明】
【技術分野】
【０００１】
本開示は、概して、組織切除処置において使用されるマイクロ波アプリケータに関する。さらに詳細には、本開示は、電気終端チョークとして働く摺動可能ジャケットを有するマイクロ波アプリケータに関する。
【背景技術】
【０００２】
一定の疾患の処置は、悪性組織（例えば、腫瘍）の成長の破壊を必要とする。腫瘍細胞は高い温度で変性することが公知であり、該高い温度は、周囲の健康な細胞に有害な温度よりもわずかに低い。したがって、高温療法などの公知の処置方法は、４１℃を越える温度まで腫瘍細胞を加熱するが、隣接する健康な細胞を低い温度に維持することにより、回復不能な細胞損傷を回避する。かかる方法は、電磁気放射を加えることにより、組織を加熱することを含み、そして、組織の切除および凝固を含む。特に、マイクロ波エネルギーが、組織を凝固および／または切除して、癌細胞を変性させるか、または殺すために使用される。
【０００３】
マイクロ波エネルギーが、マイクロ波切除アンテナアセンブリによって加えられ、該マイクロ波切除アンテナアセンブリは、組織を貫通して腫瘍に到達する。モノポールおよびダイポールなどのいくつかのタイプのマイクロ波アンテナが、存在する。モノポールアンテナとダイポールアンテナとにおいて、マイクロ波エネルギーは、導体の軸から垂直に放射する。モノポールアンテナは、単一の細長いマイクロ波導体を含む。ダイポールアンテナは、誘電性部分によって分離された内側導体と外側導体とを含む同軸構造を有し得る。さらに詳細には、ダイポールマイクロ波アンテナは、一般的に、長く細い内側導体であり、該長く細い内側導体は、アンテナの長手方向軸に沿って延び、そして、外側導体によって囲まれている。一定の変形例において、外側導体の一部分または複数の部分が、選択的に取り除かれることにより、外側方向のエネルギー放射を向上させ得る。このタイプのマイクロ波アンテナ構造は、一般的に、「漏洩導波管」アンテナまたは「漏洩同軸」アンテナと呼ばれている。
【０００４】
従来のマイクロ波アンテナは、動作帯域幅、すなわち、最適な動作効率が達成される波長範囲が狭い傾向にあり、したがって、マイクロ波送達システム（例えば、発電機、ケーブルなど）とマイクロ波アンテナを囲む組織との間で所定のインピーダンス整合を一貫して維持することができない。さらに詳細には、マイクロ波エネルギーが、組織に加えられると、マイクロ波アンテナを直接的に囲んでいる組織の誘電率は、組織が処置されるにつれて減少する。降下が、組織に加えられるマイクロ波エネルギーの波長を、アンテナの帯域幅を超えて増加させる。結果として、従来のマイクロ波アンテナの帯域幅と、加えられるマイクロ波エネルギーとの間に、不整合が生じる。したがって、狭い帯域のマイクロ波アンテナは、使用の間に離調する傾向があり、エネルギーの効果的な送達と効果的な散乱とを妨げる。
【０００５】
様々な改変が、当該分野において開示されており、該様々な改変は、組織が処置されると、使用の間、アンテナの適切な同調を維持することを助ける。しかしながら、これらの改善は、アンテナの構造的な一体性を損なう傾向があり、標的の組織範囲の中へのアンテナの挿入を容易にするために、さらなる向上および／またはさらなる計装装置を必要としている。
【発明の概要】
【課題を解決するための手段】
【０００６】
本開示の一局面に従って、マイクロ波アンテナアセンブリが開示される。該アンテナアセンブリは、内側導体と、外側導体と、それらの間に配置された内側絶縁体とを有する給電路を含み、そして、給電路に接続されたダイポールアンテナと、遠位端においてダイポールアンテナに接続されたトロカールとを含む放射部分を含む。アンテナアセンブリはまた、放射部分と給電路との周りに配置された摺動可能外側ジャケットを含む。摺動可能外側ジャケットは、摺動可能外側ジャケットがトロカールと嵌合する閉じた構成から、摺動可能ジャケットが近位方向に引き込まれ、放射部分の少なくとも一部分を露出させる引き込まれた構成まで、放射部分と給電路とのうちの少なくとも一方の周りで摺動するように構成されている。
【０００７】
本開示の別の局面に従って、マイクロ波アンテナアセンブリが開示される。アンテナアセンブリは、内側導体と、外側導体と、それらの間に配置された内側絶縁体とを含む給電路を含み、そして、給電路に接続されたダイポールアンテナと、遠位端においてダイポールアンテナに接続されたトロカールとを含む放射部分を含む。アセンブリはまた、内側流体供給部材を含み、該内側流体供給部材は、外側導体と電気機械接触して外側導体の周りに配置されている。内側流体供給部材は、その中に画定された複数の流体管腔を含み、該複数の流体管腔は、放射部分に流体を供給するように構成されている。アセンブリはまた、外側流体供給部材を含み、該外側流体供給部材は、内側流体供給部材と電気機械接触して内側流体供給部材の周りに配置されている。外側流体供給部材はまた、その中に画定された複数の流体管腔を含み、該複数の流体管腔は、放射部分から流体を引き込むように構成されている。
【０００８】
マイクロ波切除を行うための方法がまた、本開示によって企図されている。方法は、マイクロ波アンテナを提供するステップを含む。アンテナアセンブリは、内側導体と、外側導体と、それらの間に配置された内側絶縁体とを有する給電路を含み、そして、給電路に接続されたダイポールアンテナと、遠位端においてダイポールアンテナに接続されたトロカールとを含む放射部分を含む。アンテナアセンブリはまた、放射部分と給電路との周りに配置された摺動可能外側ジャケットを含む。摺動可能外側ジャケットは、放射部分と給電路とのうちの少なくとも一方の周りで摺動するように構成されている。方法はまた、摺動可能外側ジャケットがトロカールと嵌合する閉じた構成に摺動可能ジャケットを動かすステップと、マイクロ波アンテナを組織に挿入するステップと、摺動可能ジャケットが近位方向に引き込まれて、放射部分の少なくとも一部分を露出させる引き込まれた構成に摺動可能ジャケットを動かすステップとを含む。
【０００９】
例えば、本発明は、以下を提供する。
【００１０】
（項目１）  
マイクロ波アンテナアセンブリであって、
内側導体と、外側導体と、それらの間に配置された内側絶縁体とを含む給電路と、
該給電路に接続されたダイポールアンテナと、遠位端において該ダイポールアンテナに接続されたトロカールとを含む放射部分と、
該放射部分と該給電路との周りに配置された摺動可能外側ジャケットであって、該摺動可能外側ジャケットは、該摺動可能外側ジャケットが該トロカールと嵌合する閉じた構成から、該摺動可能ジャケットが近位方向に引き込まれて、該放射部分の少なくとも一部分を露出させる引き込まれた構成まで、該放射部分と該給電路とのうちの少なくとも一方の周りで摺動するように構成されている、摺動可能外側ジャケットと
を備えている、マイクロ波アンテナアセンブリ。
【００１１】
（項目２）  
上記給電路の周りに配置され、かつ、上記外側導体と電気接触している接触アセンブリをさらに備え、該接触アセンブリは、該外側導体と上記摺動可能外側ジャケットとの間に連続的な電気接触を提供するように適合されている、上記項目のうちのいずれか１項に記載のマイクロ波アンテナアセンブリ。
【００１２】
（項目３）  
上記接触アセンブリは、
少なくとも２つの止め部材を有する管状筐体であって、該少なくとも２つの止め部材のそれぞれが、該管状部材の近位端と遠位端とにそれぞれ配置されている、管状筐体と、
該少なくとも２つの止め部材の間で該管状部材の周りに配置されたバネ部材であって、該バネ部材は、上記摺動可能外側ジャケットを付勢するように適合されている、バネ部材と
をさらに備えている、上記項目のうちのいずれか１項に記載のマイクロ波アンテナアセンブリ。
【００１３】
（項目４）  
上記管状筐体と上記バネ部材とは、導電性材料から形成されている、上記項目のうちのいずれか１項に記載のマイクロ波アンテナアセンブリ。
【００１４】
（項目５）  
上記バネ部材は、少なくとも１つの金属化合物を有する導電性コーティングによってコーティングされている、上記項目のうちのいずれか１項に記載のマイクロ波アンテナアセンブリ。
【００１５】
（項目６）  
上記摺動可能外側ジャケットは、導電性金属から形成されている、上記項目のうちのいずれか１項に記載のマイクロ波アンテナアセンブリ。
【００１６】
（項目７）  
上記摺動可能外側ジャケットは、その遠位端に先細縁を含み、そして、上記トロカールは、該摺動可能外側ジャケットが上記閉じた構成のときに該先細縁と嵌合するように適合された先細先端を含む、上記項目のうちのいずれか１項に記載のマイクロ波アンテナアセンブリ。
【００１７】
（項目８）  
マイクロ波アンテナアセンブリであって、
内側導体と、外側導体と、それらの間に配置された内側絶縁体とを含む給電路と、
該給電路に接続されたダイポールアンテナと、遠位端において該ダイポールアンテナに接続されたトロカールとを含む放射部分と、
該外側導体の周りに配置された内側流体供給部材であって、該内側流体供給部材は、該外側導体と電気機械接触し、該内側流体供給部材は、その中に画定された複数の流体管腔を有し、該複数の流体管腔は、該放射部分に流体を供給するように構成されている、内側流体供給部材と、
該内側流体供給部材の周りに配置された外側流体供給部材であって、該外側流体部材は、該内側流体供給部材と電気機械接触し、該外側流体供給部材は、その中に画定された複数の流体管腔を有し、該複数の流体管腔は、該放射部分から該流体を引き込むように構成されている、外側流体供給部材と
を備えている、マイクロ波アンテナアセンブリ。
【００１８】
（項目９）  
上記内側流体供給部材と上記外側流体供給部材とは、導電性金属から形成されている、上記項目のうちのいずれか１項に記載のマイクロ波アンテナアセンブリ。
【００１９】
（項目１０）  
上記内側流体供給部材と上記外側流体供給部材とのそれぞれが、それらのそれぞれの遠位端に画定された複数の開口部を含み、該複数の開口部は、上記対応する複数の流体管腔と流体連通して配置されている、上記項目のうちのいずれか１項に記載のマイクロ波アンテナアセンブリ。
【００２０】
（項目１１）  
上記内側流体供給部材に接続され、かつ、第１の流体管腔を画定している内側冷却ジャケットと、
上記外側流体供給部材に接続され、かつ、第２の流体管腔を画定している外側冷却ジャケットと
をさらに備え、
該第１の流体管腔と該第２の流体管腔とは、それらの遠位端において流体連通して配置されている、上記項目のうちのいずれか１項に記載のマイクロ波アンテナアセンブリ。
【００２１】
（項目１２）  
上記トロカールは、上記内側冷却ジャケットに接続された管状部分を含み、該管状部分は、上記第１の管腔と上記第２の管腔との間に流体連通を提供する少なくとも１つの開口部を有する、上記項目のうちのいずれか１項に記載のマイクロ波アンテナアセンブリ。
【００２２】
（項目１３）  
上記放射部分と上記外側流体供給部材との周りに配置された摺動可能外側ジャケットであって、該摺動可能外側ジャケットは、該摺動可能外側ジャケットが上記トロカールと嵌合する閉じた構成から、該摺動可能ジャケットが近位方向に引き込まれ、該放射部分の少なくとも一部分を露出させる引き込まれた構成まで、該放射部分と該外側流体供給部分とのうちの少なくとも一方の周りで摺動するように適合されている、摺動可能外側ジャケット
をさらに備えている、上記項目のうちのいずれか１項に記載のマイクロ波アンテナアセンブリ。
【００２３】
（項目１４）  
上記外側流体供給部材の周りに配置され、かつ、上記外側導体と電気接触している接触アセンブリをさらに備え、該接触アセンブリは、該外側導体と上記摺動可能外側ジャケットとの間に連続的な電気接触を提供するように適合されている、上記項目のうちのいずれか１項に記載のマイクロ波アンテナアセンブリ。
【００２４】
（摘要）
マイクロ波アンテナアセンブリが開示される。該アンテナアセンブリは、内側導体と、外側導体と、それらの間に配置された内側絶縁体とを有する給電路を含み、そして、給電路に接続されたダイポールアンテナと、遠位端においてダイポールアンテナに接続されたトロカールとを含む放射部分を含む。アンテナアセンブリはまた、放射部分と給電路との周りに配置された摺動可能外側ジャケットを含む。摺動可能外側ジャケットは、摺動可能外側ジャケットがトロカールと嵌合する閉じた構成から、摺動可能ジャケットが近位方向に引き込まれ、放射部分の少なくとも一部分を露出させる引き込まれた構成まで、放射部分と給電路とのうちの少なくとも一方の周りで摺動するように構成されている。
【図面の簡単な説明】
【００２５】
本発明の上記の局面、上記の特徴、および上記の利点、ならびに他の局面、他の特徴、および他の利点が、添付の図面と関連付けて考慮される以下の詳細な記述を踏まえるとさらに明らかになる。
【図１】図１は、本開示の実施形態に従った、マイクロ波切除システムの概略図である。
【図２】図２および図３は、本開示に従った、マイクロ波アンテナアセンブリの断面斜視図である。
【図３】図２および図３は、本開示に従った、マイクロ波アンテナアセンブリの断面斜視図である。
【図４】図４は、図２のマイクロ波アンテナアセンブリの一部分の拡大断面図である。
【図５】図５は、図２のマイクロ波アンテナアセンブリの断面斜視図である。
【図６】図６は、図２のマイクロ波アンテナアセンブリの一部分の拡大断面図である。
【図７】図７〜図９は、図２のマイクロ波アンテナアセンブリのトロカールの拡大断面図である。
【図８】図７〜図９は、図２のマイクロ波アンテナアセンブリのトロカールの拡大断面図である。
【図９】図７〜図９は、図２のマイクロ波アンテナアセンブリのトロカールの拡大断面図である。
【図１０Ａ】図１０Ａ〜図１０Ｂは、図２のマイクロ波アンテナアセンブリの接触アセンブリの断面斜視図である。
【図１０Ｂ】図１０Ａ〜図１０Ｂは、図２のマイクロ波アンテナアセンブリの接触アセンブリの断面斜視図である。
【図１１Ａ】図１１Ａ〜図１１Ｂは、図１０Ａ〜図１０Ｂの接触アセンブリの斜視図である。
【図１１Ｂ】図１１Ａ〜図１１Ｂは、図１０Ａ〜図１０Ｂの接触アセンブリの斜視図である。
【図１２】図１２は、本開示の一実施形態に従った、マイクロ波切除システムの概略図である。
【図１３】図１３は、本開示に従った、マイクロ波アンテナアセンブリの断面斜視図である。
【図１４】図１４〜図１７は、図１２のマイクロ波アンテナアセンブリの一部分の拡大断面図である。
【図１５】図１４〜図１７は、図１２のマイクロ波アンテナアセンブリの一部分の拡大断面図である。
【図１６】図１４〜図１７は、図１２のマイクロ波アンテナアセンブリの一部分の拡大断面図である。
【図１７】図１４〜図１７は、図１２のマイクロ波アンテナアセンブリの一部分の拡大断面図である。
【発明を実施するための形態】
【００２６】
本開示の特定の実施形態が、本明細書において添付の図面を参照して以下で記述される。以下の記述においては、周知の機能または周知の構成は、不必要な詳細で本開示を不明確にすることを避けるために、詳細には記述されない。
【００２７】
図１は、マイクロ波切除システム１０を示し、該マイクロ波切除システム１０は、マイクロ波アンテナアセンブリ１２を含み、該マイクロ波アンテナアセンブリ１２は、可撓性同軸ケーブル１６を介してマイクロ波発電機１４に接続されている。一実施形態において、発電機１４は、約５００ＭＨｚ〜約５０００ＭＨｚの動作周波数でマイクロ波エネルギーを提供するように構成されている。
【００２８】
アンテナアセンブリ１２は、放射部分１８を含み、該放射部分１８は、給電路２０（またはシャフト）によってケーブル１６に接続されている。さらに詳細には、アンテナアセンブリ１２は、接続ハブ２２を介してケーブル１６に接続されている。接続ハブ２２はまた、そこに画定された出口流体ポート３０と入口流体ポート３２とを含み、該出口流体ポート３０と該入口流体ポート３２とは、放射部分１８および給電路２０と流体連通し、ポート３０とポート３２とからの誘電性冷却剤流体３５が、アンテナアセンブリ１２の周りに分散され、そして、循環されることを可能にする。ポート３０とポート３２とはまた、供給ポンプ３４に接続され、該供給ポンプ３４はまた、供給タンク３６に接続され、該供給タンク３６は、誘電性冷却剤流体３５を格納し、そして、所定の温度で流体を維持する。一実施形態において、供給タンク３６は、冷却剤ユニット（図示せず）を含み得、該冷却剤ユニットは、アンテナアセンブリ１２から戻ってくる冷却剤流体３５を冷却する。あるいは、冷却剤流体は、冷却剤ガスであり得る。
【００２９】
アセンブリ１２はまた、先細先端２４を有するトロカール２５を含み、一実施形態において、該先細先端２４が、尖った先端２６で終端するので、放射部分１８の遠位端において最小の抵抗で組織の中にトロカールを挿入することを容易にする。放射部分１８が、先在する開口部の中に挿入される場合には、先端２６は、丸められ得るか、または平坦であり得る。
【００３０】
図２は、アンテナアセンブリ１２の放射部分１８を例示し、該放射部分１８は、摺動可能外側ジャケット１０２を有する。放射部分１８は、実質的に円筒形の形状を有し、そして、外側ジャケット１０２は、放射部分１８の外径と実質的に同様な内径を画定する実質的に管状の形状を有する。さらに詳細には、外側ジャケット１０２は、閉じた構成と引き込まれた構成との間で放射部分１８に沿って摺動するように構成されている。閉じた構成においては、ジャケット１０２は、アセンブリ１２の遠位端に配置され、そして、ジャケット１０２の遠位端は、図８に示されるようにトロカール２５と接触して配置されている。引き込まれた構成においては、ジャケット１０２は、近位方向に摺動され、それにより、図７に示されるように放射部分１８を露出させる。
【００３１】
ジャケット１０２は、任意の適切なタイプの導電性金属から形成され得、該導電性金属は、高い引張強度を有し、そして、組織の中に挿入されたときに組織と反応しないものであり、例えば、ステンレス鋼、チタン、および他のタイプの適切な金属である。図２を参照すると、ジャケット１０２の遠位端は、先細縁１０４を含み、該先細縁１０４は、トロカール２５の先細リム１０５に嵌合するように構成されている。さらに詳細には、先細リム１０５は、先細縁１０４と実質的に同じ角度を有し、ジャケット１０２が図８に示されたような閉じた構成のときに、ジャケット１０２がトロカール２５に嵌合することを可能にする。
【００３２】
図２および図３を参照すると、放射部分１８は、ダイポールアンテナ４０を含み、該代ポールアンテナ４０は、平衡または不平衡のいずれかであり得る。ダイポールアンテナ４０は、給電路２０に接続され、該給電路２０は、アンテナアセンブリ１２を発電機１４に電気接続している。図３に示されているように、給電路２０は、内側導体５０（例えば、ワイヤ）を含み、該内側導体５０は、内側絶縁体５２によって囲まれ、該内側絶縁体５２もまた、外側導体５６（例えば、円筒形導電シース）によって囲まれている。内側導体５０と外側導体５６とは、銅、金、ステンレス鋼、または同様な導電特性を有する他の導電性金属で構成され得る。金属はまた、他の導電性材料で鍍金されることにより、伝動特性を改善し得、例えば、導電率を改善するか、またはエネルギーの損失を減少させる。一実施形態において、給電路２０は、半剛性同軸ケーブルまたは可撓性同軸ケーブルから形成され得、該半剛性同軸ケーブルまたは該可撓性同軸ケーブルは、５０オームに定格された外径０．０４７インチのワイヤを有する。
【００３３】
ダイポールアンテナ４０は、近位部分４２と遠位部分４４とを含み、該近位部分４２と該遠位部分４４とは、給電点４６において誘電性スペーサ（例えば、延ばされた内側絶縁体５２）によって相互接続されている。アンテナ４０が不平衡である一実施形態において、遠位部分４４と近位部分４２とは、異なる長さであり得る。近位部分４２は、内側導体５０と内側絶縁体５２とから形成され、該内側導体５０と該内側絶縁体５２とは、図３に示されるように、外側導体５６の外側に互いに延びている。給電路２０が同軸ケーブルから形成される一実施形態において、外側導体５６と内側絶縁体５２とが、露出させられることにより、内側導体５０を露出し得る。
【００３４】
続けて図３を参照すると、遠位部分４４は、導電性部材４５を含み、該導電性部材４５は、適切な金属（例えば、銅、ステンレス鋼、錫、およびそれらの様々な合金）などの任意のタイプの導電性材料から形成され得る。遠位部分４４は、中実構造を有し得、ソリッドワイヤ（例えば、１０ＡＷＧ）から形成され得る。別の実施形態において、遠位部分４４は、同軸ケーブルの外側導体の中空スリーブまたは他の円筒形導体から形成され得る。次に、円筒形導体は、ハンダで満たされて、円筒を中実のシャフトに転換し得るか、または円筒は、中空のままであり得る。さらに詳細には、円筒形導体の中でハンダを液化するために充分な温度（例えば、華氏５００）に、ハンダが加熱され、それにより、中実のシャフトを作り出し得る。
【００３５】
別の実施形態において、近位部分４２もまた、ソリッドワイヤ、またはハンダで満たされた円筒形導体から形成され得る。その後、近位部分４２は、内側導体５０に接続される。これは、内側導体５０の遠位端に近位部分４２をハンダ付けすることによって達成され得、例えば、近位部分４２のハンダを溶かし、その中に内側導体５０を挿入することによって達成され得る。
【００３６】
遠位部分４４が、近位部分４２の内側導体５０にハンダ付けされることにより、それらの間に電気機械接触を確立し得る。遠位部分４４がハンダ材料で満たされた中空の円筒形導体から形成される一実施形態において、遠位部分４４は、遠位部分４４のハンダを液化し、その中に内側導体５０の遠位端を挿入することによって近位部分４２に取り付けられ得る。図３に示されるようにダイポール給電空隙「Ｇ」が近位部分４２と遠位部分４４との間に残るように、内側導体５０の遠位端の一部分が、遠位部分４４の中に挿入される。空隙「Ｇ」は、約１ｍｍ〜約３ｍｍであり得る。アンテナのダイポール給電空隙「Ｇ」は、同軸場モードが自由空間への遷移の際に遭遇する最初の構造である。一実施形態において、その後、空隙「Ｇ」が、誘電性材料で満たされて、給電点４６において誘電性スペーサを形成する。誘電性材料は、ＤｕＰｏｎｔ  ｏｆ  Ｗｉｌｌｉｍｉｇｔｏｎ、ＤＥによって販売されているＴｅｆｌｏｎ（登録商標）などのポリテトラフルオロエチレン（ＰＴＥＦ）であり得る。別の実施形態において、空隙「Ｇ」は、以下でさらに詳細に考察されるような誘電性シールコーティングによってコーティングされ得る。
【００３７】
放射部分１８と給電路２０とが、冷却剤流体と直接的に接触しているので、アセンブリ１２のこれらのコンポーネントは、鋳造シール１１０によって流体の浸出を防ぐようにシーリングされなければならない。これは、放射部分１８と給電路２０との周りに鋳造シール１１０を形成するための従来の射出成形技術とスクリュー押出技術とを使用して任意のタイプの溶解加工可能なポリマーを利用することによって達成され得る（図２を参照）。鋳造シール１１０は、熱抵抗性かつ化学的に不活性な任意の適切なポリマー材料から形成され得、例えば、フッ化エチレンプロピレン（ＦＥＰ）、またはＤｕＰｏｎｔ  ｏｆ  Ｗｉｌｌｉｍｉｇｔｏｎ、ＤＥによって販売されているＴｅｆｌｏｎ（登録商標）などのポリテトラフルオロエチレン（ＰＴＦＥ）から形成され得る。別の実施形態において、シリコーン、エポキシ樹脂、および注型用樹脂を含む他の適切な材料がまた、使用され得る。
【００３８】
一実施形態において、鋳造シール１１０は、収縮ラップとして利用され得る。ポリマーが、アセンブリ１２全体に塗布され得、すなわち、給電路２０と放射部分１８とに塗布され得る。次に、収縮ラップが加熱されることにより、給電路２０と放射部分１８とをシーリングする。結果として生じる鋳造シール１１０は、あらゆる冷却剤流体がアセンブリ１２の中に浸透することを妨げる。さらに、鋳造シール１１０はまた、内側導体５０と内側絶縁体５２とが外側導体５６を越えて延びている場所に利用され、それにより、図３に示されたように、給電点４６における空間５３と、トロカール２５と遠位部分４４との間の空間５５とを作り出す。
【００３９】
図４〜図６を参照すると、アセンブリは、内側流体供給部材１０６と外側流体供給部材１０８とを含む。流体供給部材１０６と流体供給部材１０８とは、実質的に管状の形状を有し、銅、ステンレス鋼、錫、およびそれらの様々な合金などの導電性金属から形成されている。別の実施形態において、流体供給部材１０６と流体供給部材１０８とはまた、他のタイプのマイクロ波不透過性材料から形成され得、該他のタイプのマイクロ波不透過性材料は、導電性材料（例えば、金属）でコーティングされた外側表面を有する誘電性材料であり得る。導電性材料のコーティングは、電流の漏れを妨げるために充分な厚さを有する。さらに詳細には、コーティングの厚さは、所定のマイクロ波周波数における、コーティングに使用される金属に対する最大皮膚浸透深度に依存する。
【００４０】
流体供給部材１０６は、外側導体５６の周りに配置され、そして、それと電気機械接触している。さらに、流体供給部材１０６は、外側導体５６の長さに沿って外側導体５６を越えた任意の場所から給電路２０の近位端に延び、該近位端においては、流体供給部材１０６が、接続ハブ２２に接続され、そして、それと流体連通している。
【００４１】
流体供給部材１０６は、図５および図６に示されているように、その中に画定された１つ以上の流体管腔１０７を含む。流体管腔１０７は、流体供給部材１０６の遠位端に画定された１つ以上の開口部１０９で終端する。複数の開口部１０９が含まれる場合には、グリル型構造が、流体供給部材１０６の遠位端に含まれ得る。流体管腔１０７は、流体供給部材１０６の管状構造に穴をあけられたものであり得る。あるいは、流体管腔１０７は、流体供給部材１０６の鋳造の間に形成され得る。複数の開口部１０９が、冷却剤流体用管腔を可能にし、そして、さらに、マイクロ波エネルギーが、給電路２０の外側表面に沿ってさかのぼって上方に漏れること、または分散することを最小化および／または防止する。
【００４２】
流体供給部材１０８は、流体供給部材１０６の周りに配置され、そして、それと電気機械接触している。したがって、外側導体５６と、流体供給部材１０６および流体供給部材１０８との間に電気接触導通が存在する。流体供給部材１０８はまた、その中に画定された１つ以上の流体管腔１１１を含み、該１つ以上の流体管腔もまた、図５および図６に示されたように、１つ以上のそれぞれの開口部１１３で終端する。
【００４３】
ここで、図７〜図８を参照すると、トロカール２５は、概して、円錐形状を有し、そして、先細リム１０５を有する円錐形状の基部として基部部分２７を含み、該先細リム１０５は、基部部分２７から近位方向に外側に延びている。トロカール２５はまた、基部部分２７の中心に配置された管状部分２９を含む。管状部分２９は、１つ以上の開口部３１を含み、該１つ以上の開口部３１は、以下でさらに詳細に考察されるように、放射部分１８の遠位端において連続的な流体流を提供する。
【００４４】
トロカール２５は、組織を貫通することに適した様々な熱抵抗性材料、例えば、金属（例えば、ステンレス鋼）、およびポリエーテルイミド、ポリアミド熱可塑性樹脂などの熱可塑性材料から形成され、ポリアミド熱可塑性樹脂の例は、Ｇｅｎｅｒａｌ  Ｅｌｅｃｔｒｉｃ  Ｃｏ．  ｏｆ  Ｆａｉｒｆｉｅｌｄ，ＣＴによって販売されているＵｌｔｅｍ（登録商標）である。トロカール２５は、所望の形状を獲得するために様々なストックロッドから機械加工され得る。
【００４５】
トロカール２５は、内側冷却ジャケット１１２によってアンテナ４０の放射部分１８に接続されている。図２および図７に示されているように、冷却ジャケット１１２は、流体供給部材１０６の上に配置され、そして、流体供給部材１０６から放射部分１８の遠位端までアンテナ４０の長さを延び、放射部分１８の遠位端において、冷却ジャケット１１２は、トロカール２５の管状部分２９に接続されている。冷却ジャケット１１２の少なくとも一部分は、アンテナ４０の外形よりも大きい内径を有し、それにより、アンテナ４０の周りに第１の管状流体管腔１２０を画定する。冷却ジャケット１１２が、流体供給部材１０６に接続されることにより、その外側表面の周りに防水シールを作り出す。
【００４６】
冷却ジャケット１１２に対する適切な材料は、アセンブリ１２の電気性能に影響を与えず、放射部分１８において切除の間に生成される温度に耐えることができるような、最小の誘電率を有する。さらに、材料は、流体管腔１２０に供給される冷却剤による流体圧に耐えるのに適している。一実施形態において、フッ化エチレンプロピレン（ＦＥＰ）、またはＤｕＰｏｎｔ  ｏｆ  Ｗｉｌｌｉｍｉｇｔｏｎ、ＤＥによって販売されているＴｅｆｌｏｎ（登録商標）などのポリテトラフルオロエチレン（ＰＴＦＥ）などの任意の適切な熱抵抗性ポリマー材料のスリーブが、使用され得る。さらなる接着剤が、流体供給部材１０６と管状部分２７とにポリマー材料を取り付けるために使用され得る。
【００４７】
外側冷却ジャケット１２２がまた、図２〜図７に示されるように、アセンブリ１２に含まれる。冷却ジャケット１２２は、流体供給部材１０８の周りに配置されて、その周りに防水シールを形成し、そして、トロカール２５まで延びている。さらに詳細には、冷却ジャケット１２２は、外側ジャケット１０２がトロカール２５と嵌合するために充分な間隙が存在するように、基部部分２７、またはトロカール２５の先細リム１０５のうちの一方に接続される。冷却ジャケット１２２は、流体供給部材１０６よりも大きい外径を有する流体供給部材１０８の上に配置されるので、冷却ジャケット１２２は、冷却ジャケット１１２の周りに第２の管状流体管腔１２４を画定する。冷却ジャケット１２２は、冷却ジャケット１１２と同様な材料から形成され得る。一実施形態において、冷却ジャケット１２２は、ポリイミドおよび他のタイプのポリマーから製造されたカテーテルなどの任意のタイプの硬質チューブであり得る。
【００４８】
動作の間、誘電性冷却剤流体３５（例えば、食塩水、脱イオン水など）が、ポンプ３４によって、接続ハブ２２を通ってアセンブリ１２に供給され、該接続ハブ２２は、流体供給部材１０６および流体供給部材１０８と流体連通している。流体３５は、供給部材１０６を通って放射部分１８に入り、そして、冷却ジャケット１１２の内側表面に沿って第１の流体管腔１２０の中に流れ、それにより、アンテナ４０に接触し、熱を取り除く。アンテナ４０は、鋳造シール１１０によってシーリングされているので、流体は、直接的に、アンテ４０と物理的に接触する。流体が流体管腔１２０を下り続けると、流体は、トロカール２５の管状部分２９に入る。図９に示されているように、流体３５は、開口部３１を通って流れ、該開口部３１は、第１の流体管腔１２０と第２の流体管腔１２４とを相互接続する。それにより、第２の流体管腔１２４は、流体流の系統１０８への流れの帰路として働き、該流体流の系統１０８は、出口流体ポート３０に接続されている。
【００４９】
別の実施形態において、流体流が、反転され得、そして、流体が、流体流の系統１０８を通って供給され得るので、流体は、第２の流体管腔１２４を通って流れ、そして、トロカール２５を通って第１の流体管腔１２０の中に入り得る。次に、流体３５は、流体流の系統１０６を通って吸引され除去される。この構成において、流体３５は、流れの帰路に沿ってアンテナ４０と接触する。
【００５０】
上記の冷却システムは、アンテナアセンブリ１２の全長を通る誘電性冷却剤流体３５（例えば、食塩水、脱イオン水など）の循環を提供する。誘電性冷却剤流体３５は、アセンブリ１２によって生成された熱を取り除く。さらに、誘電性冷却流体３５は、アセンブリ１２に対する緩衝剤として働き、そして、アセンブリ１２の近距離場の誘電特性が、組織の誘電特性の変化によって変化することを防止する。マイクロ波エネルギーが、切除の間に加えられると、放射部分１８の周りの組織の乾燥が、かなりの係数（約１０倍）で組織の複素誘電率の降下をもたらす。この誘電率（ｅｒ’）の降下は、組織におけるマイクロ波エネルギーの波長を増加させ、このことが、緩衝されていないマイクロ波アンテナアセンブリのインピーダンスに劇的に影響を与え、それにより、システムのインピーダンス（例えば、ケーブル１６と発電機１４とのインピーダンス）からアンテナアセンブリを不整合にする。波長の増加はまた、アセンブリ１２に沿った長さが断面の直径の長さよりもずっと長い電力散逸ゾーンをもたらす。組織の導電率（ｅｒ’’）の減少はまた、アセンブリ１２のインピーダンスの実部に影響を与える。本開示の流体誘電緩衝は、送達されるエネルギーの波長の増加と、近距離場の導電率の降下とを緩和し、それにより、アセンブリ１２のインピーダンスの変化を減少させる。これは、組織の性質に関わらず、アンテナと組織とのさらに一貫したインピーダンス整合と、球状の電力散逸ゾーンとを可能にする。
【００５１】
波長変化の緩衝はまた、さらに効果的なチョーキングネットワークを可能にする。チョーキングは、近位部分４２の端における電流点または高インピーダンス点に配置される。チョーキングされたウェット先端において波長緩衝を用いることによって、ダイポール放射部分における半波長の電流パターンが維持され、高インピーダンス点の場所をあまり変化しないようにし、その結果、さらに効果的なチョークネットワークを可能にする。同時に、ケーブルの冷却と、誘電性緩衝とは、ほぼ球状の切除ゾーンと早急の切除時間とを可能にする標的化された効率的なエネルギー送達を可能にする。食塩水または脱イオン水のいずれかが、アセンブリ１２と共に使用され得る。
【００５２】
摺動可能外側ジャケット１０２はまた、２つの機能を提供する。閉じた構成において、ジャケット１０２は、放射部分１８に対する保護カバーとして働く。さらに、外側ジャケット１０２は、挿入の間のアセンブリ１２の構造上の一体性を増加させる。ジャケット１０２が、引き込まれた構成であるときには、ジャケット１０２はチョークとして働く。ジャケット１０２は、一般的に、組織の中へのアセンブリ１２の挿入の間、閉じた構成で配置され、そして、標的組織に到達すると、放射部分１８を露出させるために、後ろに摺動される。その後、マイクロ波エネルギーと冷却剤３５とが、アセンブリ１２を通って供給されることにより、所望の治療処置を行う。
【００５３】
図４および図５に例示される引き込まれた構成において、ジャケット１０２は、動作波長の半分に実質的に等しい距離に戻るように摺動される。ジャケット１０２の引き込み可能な距離は、ジャケット１０２と流体供給部材１０８との嵌合表面に、対応するロックおよび溝（明確には図示せず）、または他のタイプの触覚フィードバックもしくは適切なインジケータを提供することによって制御され得る。溝は、ジャケット１０２の摺動を案内し、そして、ジャケット１０２が完全に引き込まれると、ジャケット１０２のさらなる近位方向の運動を妨げる。別の実施形態において、ジャケット１０２は、望ましい任意の長さ（例えば、４分の１波）に摺動され得る。
【００５４】
ジャケット１０２は、流体供給部材１０８の少なくとも一部分の上に配置される。さらに詳細には、ジャケット１０２は、接触アセンブリ１３０と流体供給部材１０６と流体供給部材１０８とを介して給電路２０の外側導体５６に対して短絡され（例えば、電気機械接触し）、このことが、それらの間に電気的導通を提供する。この構成は、ジャケット１０２が引き込まれた構成のときに、ジャケット１０２が、半波長のチョークとして働くことを可能にする。この構成において、ジャケット１０２は、マイクロ波エネルギーを発電機１４からアセンブリの放射部分１８に制限し、それにより、給電路２０に沿ったマイクロ波エネルギー堆積ゾーンの長さを限定する。すなわち、ダイポールの近位部分４２の高インピーダンス点に配置された短絡されたチョークが、アンテナの電流を放射部分１８に制限し、長さを減少させながら、ほぼ球形の電力散逸ゾーンによる焼灼の断面直径を最大にする。ジャケット１０２の摺動を補助するために、流体供給部材１０８の外側表面が、摩擦低減材料でコーティングされ得る。
【００５５】
図１０Ａ〜図１１Ｂを参照すると、アセンブリ１２は、流体供給部材１０８の近位部分に配置された接触アセンブリ１３０を含む。接触アセンブリ１３０は、ジャケット１０２が常に接触アセンブリ１３０と接触する場所、例えば、ジャケット１０２が閉じた構成または引き込まれた構成のいずれにおいても接触アセンブリ１３０と連続的に接触する場所に配置される。接触アセンブリ１３０はまた、管状筐体１３２を含み、該管状筐体は、その近位端と遠位端とに配置された止め部材１３４を有する。管状筐体１３２は、導電性金属から形成され、そして、流体供給部材１０８の周りに配置されている。接触アセンブリ１３０はさらに、止め部材１３４の間に配置されたバネ部材１３６を含む。バネ部材１３６はまた、コイリングに適した導電性伸張力材料から形成され得、該導電性伸張力材料は、管状筐体１３２の端の一方において管状筐体１３２に接続される。
【００５６】
図１１Ａに示されるように、管状筐体１３２は、その外側表面において１つ以上の溝１３７を含み得る。バネ部材１３６の端は、曲げられ、そして、溝１３７の中に挿入され、該溝１３７は、図１１Ｂに示されているように、止め部材１３４と組み合わせて、バネ部材１３６のねじり移動と長手方向移動とを防止する。
【００５７】
ジャケット１０２が、流体供給部材１０８全体を摺動されると、バネ部材１３６は、機械的な力によって外方向に押され、そして、ジャケット１０２の内側表面に接触し、それにより、外側導体５６とジャケット１０２との間の電気接続を維持する。一実施形態において、バネ部材１３６は、ジャケット１０２を摺動させ、そして、それらの間の電気接触を維持することを容易にし得るように、導電性および／または耐食性のコーティングによってコーティングされている。コーティングは、ニッケル、銀などの様々な金属化合物を含み得る。
【００５８】
図１２〜図１４は、放射部分１１８と給電路１２０とを有するマイクロ波アンテナアセンブリ１１２の別の実施形態を例示し、該給電路１２０は、アセンブリ１１２をケーブル１６に接続する。さらに詳細には、アンテナアセンブリ１１２は、接続ハブ１２２を介してケーブル１６に接続され、該接続ハブ１２２は、その中に画定された出口流体ポート１３０と入口流体ポート１３２とを含む。アセンブリ１１２は、閉じた構成と引き込まれた構成との間で摺動するように構成された摺動可能外側ジャケット２０２を含む。アセンブリ１１２はさらに、その遠位端に配置されたトロカール１２５を含む。トロカール１２５は、先細リム２０５を含み、該先細リム２０５は、ジャケット２０２が閉じた構成のときに、ジャケット２０２の先細縁２０４と嵌合するように適合されている。アセンブリ１１２はまた、接続ハブ１２２を含み、該接続ハブ１２２は、ケーブルコネクタと流体ポート１３０と流体ポート１３２とを有する。ケーブルコネクタ１７９は、内側導体１５２に接続され、そして、外側導体１５６は、給電路１２０の近位端において外側導体１５６の外側に延びている。
【００５９】
図１３および図１４は、ダイポールアンテナ１４０を有するアンテナアセンブリ１１２の放射部分１１８を例示し、該ダイポールアンテナ１４０は、中実の誘電性充填剤１９０によって囲まれている。ダイポールアンテナ１４０は、平衡または不平衡のいずれかであり得る。ダイポールアンテナ１４０は、給電路１２０に接続され、該給電路１２０は、アンテナアセンブリ１１２を発電機１４に電気接続する。図１４に示されているように、給電路２０と同様に、給電路１２０は、内側絶縁体１５２によって囲まれた内側導体１５０（例えば、ワイヤ）を含み、次に、該内側絶縁体１５２は、外側導体１５６（例えば、円筒形導電冷却ジャケット）によって囲まれている。
【００６０】
ダイポールアンテナ１４０は、近位部分１４２と遠位部分１４４とを含み、該近位端１４４は、導電性部材１４５を含む。遠位端部分と近位部分とは、給電点１４６において誘電性スペーサによって相互接続される。近位部分１４２は、内側導体１５０と内側絶縁体１５２とから形成され、該内側導体１５０と該内側絶縁体１５２とは、外側導体１５６を越えて延ばされている。給電路１２０が同軸ケーブルから形成される一実施形態において、外側導体１５６と内側絶縁体１５２とが、露出されることにより、図１４に示されるように、内側導体１５０を露出し得る。
【００６１】
遠位部分１４４は、金属（例えば、銅、ステンレス鋼、錫、それらの様々な合金）などの任意のタイプの導電性材料から形成され得る。部分１４４は、中実の構造を有し得、そして、ソリッドワイヤ（例えば、１０ＡＷＧ）、またはアセンブリ１２の部分４４と同様なハンダで満たされた円筒形導体から形成され得る。その後、近位部分１４４は、内側導体１５０に接続される。
【００６２】
アセンブリ１１２は、ダイポールアンテナ１４０を覆って配置された中実の誘電性充填剤１９０を含む。充填剤１９０はまた、トロカール１２５に接続される。充填剤１９０は、その中に画定された中央空洞１９８を有する円筒形状にされ得、該中央空洞１９８は、アンテナ１４０の遠位部分１４４への挿入に適している。空洞１９８は、アンテナ１４０の断面形状に応じてアンテナ１４０を覆って嵌まるのに適している実質的に円筒形の形状を有する。誘電性充填剤１９０は、アセンブリ１１２の遠位端においてトロカール１２５に接続される。
【００６３】
一実施形態において、充填剤１９０の誘電性材料は、約２．５〜約１５０の誘電率を有し得、そして、ポリアミドプラスチック（例えば、ＤｕＰｏｎｔ  ｏｆ  Ｗｉｌｍｉｎｇｔｏｎ、Ｄｅｌａｗａｒｅから入手可能なＶＥＳＰＥＬ（登録商標））などのアルミナセラミックまたはプラスチックセラミックなどのセラミック材料から作成され得る。充填剤１９０が、放射部分１１８と組織との間で誘電性緩衝剤として働くので、組織の電気特性が切除の間に変化したときも、アンテナアセンブリ１１２は、切除処置全体にわたって、半波共鳴と、エネルギー送達システム（例えば、発電機１４、ケーブル１６など）に整合されたインピーダンスとのままである。
【００６４】
給電路１２０は、冷却剤流体３５と接触しているので、給電路１２０は、鋳造シール１１０と同様な鋳造シール２１０によって給電路１２０の中への流体の浸出を防止するためにシーリングされる。アセンブリ１１２はまた、図１４〜図１６に示されているように、内側流体供給部材２０６と外側流体供給部材２０８とを含む。流体供給部材２０６と流体供給部材２０８とは、実質的に管状の形状を有し、そして、銅、ステンレス鋼、錫、およびそれらの様々な合金などの導電性金属から形成されるか、または導電性材料（例えば、金属）でコーティングされ得る。流体供給部材２０６と流体供給部材２０８とは、接続ハブ１２２に接続され、そして、アセンブリ１１２を通って流体を循環させるように構成されている。流体供給部材２０６と流体供給部材２０８とは、それらの中に画定された１つ以上の流体管腔２０７と１つ以上の流体管腔２１１とをそれぞれ含み、該１つ以上の流体管腔２０７と該１つ以上の流体管腔２１１とは、流体供給部材１０６と流体供給部材１０８と同様に、遠位端に画定された１つ以上の開口部で終端する。流体供給部材２０６は、外側導体１５６の周りに配置され、そして、それと電気機械接触している。次に、流体供給部材２０８は、流体供給部材２０６の遠位端の近くで終端している遠位端で、流体供給部材２０６の周りに配置されている。
【００６５】
外側冷却ジャケット２２２は、図１４に示されているように、アセンブリ１２に含まれる。冷却ジャケット２２２が、流体供給部材２０８の周りに防水シールを形成するように配置され、そして、トロカールアセンブリ２５まで延びており、それにより、充填剤１９０を囲んでいる。さらに詳細には、冷却ジャケット２２２は、外側ジャケット２０２がトロカール１２５と嵌合するための充分な間隙が存在するように、トロカール１２５の基部部分１２７または先細リム２０５に接続されている。冷却ジャケット２２２が流体供給部材２０８の上に配置されているので、冷却ジャケット２２２は、給電路１２０の周りに流体管腔２２４を画定する。冷却ジャケット２２２は、トロカール１２５まで延び、そして、アセンブリ１２の冷却ジャケットと同様な材料から形成され得る。
【００６６】
動作の間、誘電性冷却剤流体３５（例えば、食塩水、脱イオン水など）が、ポンプ３４によって接続ハブ１２２を通ってアセンブリ１１２に供給され、該接続ハブ１２２は、流体供給部材２０６および流体供給部材２０８と流体連通している。上記のシステムと同様に、流体３５は、流体供給部材２０６から流体管腔２２４の中に流れ、それにより、外側導体１５６と接触し熱を取り除く。外側導体１５６は、鋳造シール２１０によってシーリングされるので、冷却剤流体３５は、外側導体１５６と直接的に物理接触しない。流体３５が、流体供給部材２０８を通って引き込まれ、それにより、給電路１２０の遠位端から近位端に流体３５を循環させる。別の実施形態において、流体３５の流れは、反転され得、流体３５は、流体が流体流の系統２０６を通って流れ、そして、次に、吸引されて除去されるように、流体流の系統２０８を通って供給され得る。
【００６７】
摺動可能外側ジャケット２０２は、摺動可能外側ジャケット２０２がトロカール１２５と嵌合する閉じた構成から、摺動可能ジャケット２０２がアセンブリ１１２に沿った所定の長さ（例えば、半波長、４分の１波長など）に配置される引き込まれた構成まで、冷却ジャケット２０２と流体供給部材２０８とに沿って摺動するように適合されている。アセンブリ１１２はまた、図９〜図１１に示されるような接触アセンブリ１３０を含むことにより、流体部材２０６および流体部材２０８と摺動外側ジャケット２０２との間に電気接触を提供する。
【００６８】
記載された本開示の実施形態は、限定ではなく例示を意図されており、本開示の全ての実施形態を表すことを意図されていない。様々な改変と様々な変化形とが、以下の特許請求の範囲において文字通り述べられるような、そして、法律で認められる均等物のような本開示の精神または範囲を逸脱することなく行われ得る。
【図１】
0005460128.tif 000002
【図２】
0005460128.tif 000003
【図３】
0005460128.tif 000004
【図４】
0005460128.tif 000005
【図５】
0005460128.tif 000006
【図６】
0005460128.tif 000007
【図７】
0005460128.tif 000008
【図８】
0005460128.tif 000009
【図９】
0005460128.tif 000010
【図１０Ａ】
0005460128.tif 000011
【図１０Ｂ】
0005460128.tif 000012
【図１１Ａ】
0005460128.tif 000013
【図１１Ｂ】
0005460128.tif 000014
【図１２】
0005460128.tif 000015
【図１３】
0005460128.tif 000016
【図１４】
0005460128.tif 000017
【図１５】
0005460128.tif 000018
【図１６】
0005460128.tif 000019
【図１７】
0005460128.tif 000020